(57)【特許請求の範囲】
【請求項１】
複数個の端子（１０）がレール（１６０）に沿って並べられて取り付けられた端子台（３０）であって、
前記複数個の端子がそれぞれ、本体（１１）と、内側端子（３１I1〜３１I8）を構成する内側ネジ（１２I）および外側端子（３１O1〜３１O8）を構成する外側ネジ（１２O）と、該内側ネジと該外側ネジとを電気的に導通させるための導電板（１３）とを具備し、
前記本体が、板部（１１1）と、該板部の下部に垂設されたかつ前記端子を前記レールに取り付けるためのレール係合部（１１3）とを備え、
前記レール係合部の底面に形成された共通板貫通孔（１４）に共通板（２０）を前記レールに沿って貫通させ、前記複数個の端子のうち電気的に接続する端子の前記導電板を前記共通板と接続ネジ（２３）を用いて電気的に接続し、
前記共通板貫通孔（１４）が、前記レール係合部（１１3）の底面の中央部に形成されており、
前面プレート（２１，２１’，２１”）を前記レールに沿って貫通させるための前面プレート貫通孔（１１1a）が、前記板部（１１1）の上中央部に形成されており、
接続ネジ（２３）を前記導電板（１３）の上面から下面に螺合させて貫通させるためのネジ孔が、該導電板の中央部に形成されており、
前記接続ネジを前記前面プレートおよび前記導電板の前記ネジ孔に貫通させたのちに該接続ネジの先端部を前記共通板（２０）に接触させて、前記複数個の端子のうち電気的に接続する端子の前記導電板を該共通板と電気的に接続する、
ことを特徴とする、端子台。
【請求項２】
前記前面プレート（２１’，２１”）の前記電気的に接続する端子を示す箇所に、前記接続ネジを貫通させるための貫通孔が形成されており、
前記接続ネジを前記前面プレートの前記貫通孔および前記導電板の前記ネジ孔に貫通させたのちに該接続ネジの先端部を前記共通板に接触させて、前記複数個の端子のうち電気的に接続する端子の前記導電板を該共通板と電気的に接続する、
ことを特徴とする、請求項１記載の端子台。
【請求項３】
前記共通板（２０）に、前記接続ネジが螺合するネジ孔が形成されていることを特徴とする、請求項１または２記載の端子台。
【請求項４】
前記共通板（２０）の端部が、前記レールの端部が固定されたかつアースされた端子台固定金具（１７０）に固定されていることを特徴とする、請求項１乃至３いずれかに記載の端子台。
【発明の詳細な説明】
【技術分野】
【０００１】
本発明は、端子台に関し、特に、ＢＰ盤において保安用のアースをとったり受電盤において複数の表示用プラス端子を接続したりするのに好適な端子台に関する。
【背景技術】
【０００２】
ＰＢ盤や受電盤の端子台（図７および図８に示す端子台１３０参照）において使用されている端子１１０は、図６（ａ）〜（ｃ）に示すように、本体１１１と、内側端子（図７および図８に示す第１乃至第８の内側端子１３１I1〜１３１I8参照）を構成する内側ネジ１１２Iおよび外側端子（図７および図８に示す第１乃至第８の外側端子１３１O1〜１３１O8参照）を構成する外側ネジ１１２Oと、内側ネジ１１２Iと外側ネジ１１２Oとを電気的に導通させるための導電板１１３とを具備する。
【０００３】
ここで、本体１１１は、板部１１１1と、板部１１１1と一体に板部１１１1の表面の中央上部に垂設された前面プレート支持部１１１2と、板部１１１1と一体に板部１１１1の表面の下部に垂設されたかつ端子１１０をレール１６０（図７および図８参照）に沿って並べて取り付けるためのレール係合部１１１3と、板部１１１1およびレール係合部１１１3と一体に板部１１１1の表面の中央両端部に垂設されたかつ導電板１１３の両端をそれぞれ支持するための第１および第２の導電板支持部１１１41，１１１42と、レール係合部１１１3と一体にレール係合部１１１3の上側両端にそれぞれ設けられた第１および第２の突起１１１51，１１１52と、板部１１１1と一体に板部１１１1の裏面の下部に垂設された凸部１１１6（図６（ｂ）参照）と、板部１１１1の裏面の下両側にそれぞれ形成されたかつ端子１１０と他の端子１１０とをレール１６０に沿って並べて取り付ける際に他の端子１１０の第１および第２の突起１１１51，１１１52がそれぞれ挿入される第１および第２の穴１１１71，１１１72（図６（ｂ）参照）とを備える。
板部１１１1の上中央部には、前面プレート（図７に示す前面プレート１２１’および図８に示す前面プレート１２１”参照）を貫通させるための前面プレート貫通孔１１１1aが形成されている。板部１１１1の上両側には、前面プレートカバー（不図示）を取り付けるための第１および第２のカバー係止穴１１１1b1，１１１1b2がそれぞれ形成されている。
レール係合部１１１3の下面は凹面とされており、レール係合部１１１3の下面の上両側には、レールを係合させるための第１および第２のレール係止穴１１１3a1，１１１3a2がそれぞれ形成されている。また、レール係合部１１１3の第１および第２の導電板支持部１１１41，１１１42との境界部には、端子１１０と他の端子１１０とをレール１６０に沿って並べて取り付ける際に他の端子１１０の凸部１１１6の両端がそれぞれ挿入される第１および第２の凹部１１１3b1，１１１3b2が形成されている。
【０００４】
ＢＰ盤では、図７に示すように、複数個の端子１１０をレール１６０に沿って並べて取り付けたのちに上部止め金具１６１および下部止め金具（不図示）で固定するとともにレール１６０の上端部および下端部を端子台固定金具１７０に固定した端子台１３０を用いて、変流器２次回路（ＣＴ２次回路）からのＲ相電流線ＬR、Ｓ相電流線ＬS、Ｔ相電流線ＬTおよびＮ相電流線ＬNを端子台１３０の第１乃至第４の外側端子１３１O1〜１３１O4（図６（ａ）に示した外側ネジ１１２O）に圧着端子を用いてそれぞれ接続し、変流器３次回路（ＣＴ３次回路）からのｈ相電流線Ｌhおよびｇ相電流線Ｌgを端子台１３０の第６および第７の外側端子１３１O6，１３１O7にそれぞれ圧着端子を用いて接続するとともに、ＢＰ盤内部の配線を第１乃至第７の内側端子１３１I1〜１３１I7（図６（ａ）に示した内側ネジ１１２I）に圧着端子を用いて接続している。
また、保安用のアースは、端子台１３０の第４の内側端子１３１I4と第５の内側端子１３１I5との間でわたりを接続するとともに端子台１３０の第５の外側端子１３１O5とアース板１４０の第１のアース端子１４１1とを第１のＩＶ線ＬIV1（ビニール絶縁電線）を用いて接続して変流器２次回路からのＮ相電流線ＬNをアースし、端子台１３０の第７の内側端子１３１I7と第８の内側端子１３１I8との間でわたりを接続するとともに端子台１３０の第８の外側端子１３１O8とアース板１４０の第２のアース端子１４１2とを第２のＩＶ線ＬIV2を用いて接続して変流器３次回路からのｇ相電流線Ｌgをアースすることにより行っている。
さらに、各端子１１０の端子番号を示す数字“１”から“６”とアース端子を示す記号“Ｅ”とが表示された前面プレート１２１’を各端子１１０の前面プレート貫通孔１１１1a（図６（ａ）参照）に貫通させることにより、端子台１３０の内側端子（第１乃至第８の内側端子１３１I1〜１３１I8）と外側端子（第１乃至第８の外側端子１３１O1〜１３１O8）との間に前面プレート１２１’を取り付けている。
【０００５】
受電盤では、保護継電器（リレー）ごとに表示用プラス端子が必要となるため、図８に示すように、複数個の端子１１０をレール１６０に沿って並べて取り付けたのちに上部止め金具１６１および下部止め金具（不図示）で固定するとともにレール１６０の上端部および下端部を端子台固定金具１７０に固定した端子台１３０を用いて、表示用プラス端子となる複数の内側端子（同図に示す例では、第１、第４および第７の内側端子１３１I1，１３１I4，１３１I7）間にわたりを接続している。
また、各端子１１０の端子番号を示す数字“１”および“２”と表示用プラス端子を示す記号“Ｐ”とが表示された前面プレート１２１”を各端子１１０の前面プレート貫通孔１１１1a（図６（ａ）参照）に貫通させることにより、端子台１３０の内側端子と外側端子との間に前面プレート１２１”を取り付けている。
【０００６】
なお、下記の特許文献１には、アース端子の取付け位置を任意の台座部に設定することができ、設計の自由度を向上させることができ、様々な用途に対応可能なようにするために、３つの台座部と、少なくとも１つの金具と、上面に端子が取り付けられたかつ下面に開口が設けられたかつ側面に金具の一部が挿入される挿入孔とを有する端子台であって、金具が、断面ほぼコ字状の形状を有し、台座部の上面に配される上部位と、台座部の挿入孔に挿入される下部位と、下部位に設けられたかつ台座部の下方から開口を介して挿入されたネジがねじ込まれるネジ孔とを有する、端子台が開示されている。
また、下記の特許文献２には、電子装置内で発生する電磁波ノイズの低減、筐体外のケーブルを介して侵入する放射ノイズの抑制を図るために、本体の一方の中継端子側に両端の筐体ネジ取付部をつなぐ中継導電性金物が設けられ、さらに、本体にケーブル接続ネジ部を中心に回転可能に取り付けられた個別端子部が設けられ。各々の個別端子部が中継端子面のケーブル接続ネジ部を含む領域を個別導電性金物で形成し、他の領域は絶縁性材料で形成し、個別端子部を回転させることにより個別導電性金物と中継導電性金物とを電気的に接続可能にし、ケーブル接続ネジ部にアース用ケーブルを接続し、個別端子部を回転させることによりアース用ケーブルを筐体と電気的に接続可能にした、端子台のアース接続構造が開示されている。
【特許文献１】特開２００５−３３２７１２号公報
【特許文献２】特開２００２−１００４２３号公報
【発明の開示】
【発明が解決しようとする課題】
【０００７】
しかしながら、ＢＰ盤における端子台１３０では、図７に示したように第５および第８の外側端子１３０O5，１３０O8と第１および第２のアース端子１４１1，１４１2とを第１および第２のＩＶ線ＬIV1，ＬIV2とを用いてそれぞれ接続することにより保安用のアースをとっているため、第４の内側端子１３１I4と第５の内側端子１３１I5との間および第７の内側端子１３１I7と第８の内側端子１３１I8との間でわたりを接続する作業や、第１および第２のＩＶ線ＬIV1，ＬIV2の長さを決めるとともに第１および第２のＩＶ線ＬIV1，ＬIV2の両側端末処理を行う作業が必要であるので、作業時間がかかるという問題があった。また、端子台１３０とは別の箇所にアース板１４０を用意する必要があるという問題があった。
【０００８】
また、受電盤における端子台１３０では、表示用プラス端子となる複数の内側端子（図８に示した第１、第４および第７の内側端子１３１I1，１３１I4，１３１I7）間にわたりを接続する作業が必要であるので、作業時間がかかるという問題があった。
【０００９】
本発明の目的は、保安用のアースをとったり複数の表示用プラス端子を接続したりする作業の効率向上を図ることができる端子台を提供することにある。
【課題を解決するための手段】
【００１０】
本発明の端子台は、複数個の端子（１０）がレール（１６０）に沿って並べられて取り付けられた端子台（３０）であって、前記複数個の端子がそれぞれ、本体（１１）と、内側端子（３１I1〜３１I8）を構成する内側ネジ（１２I）および外側端子（３１O1〜３１O8）を構成する外側ネジ（１２O）と、該内側ネジと該外側ネジとを電気的に導通させるための導電板（１３）とを具備し、前記本体が、板部（１１1）と、該板部の下部に垂設されたかつ前記端子を前記レールに取り付けるためのレール係合部（１１3）とを備え、前記レール係合部の底面に形成された共通板貫通孔（１４）に共通板（２０）を前記レールに沿って貫通させ、前記複数個の端子のうち電気的に接続する端子の前記導電板を前記共通板と接続ネジ（２３）を用いて電気的に接続し、前記共通板貫通孔（１４）が、前記レール係合部（１１3）の底面の中央部に形成されており、前面プレート（２１，２１’，２１”）を前記レールに沿って貫通させるための前面プレート貫通孔（１１1a）が、前記板部（１１1）の上中央部に形成されており、接続ネジ（２３）を前記導電板（１３）の上面から下面に螺合させて貫通させるためのネジ孔が、該導電板の中央部に形成されており、前記接続ネジを前記前面プレートおよび前記導電板の前記ネジ孔に貫通させたのちに該接続ネジの先端部を前記共通板（２０）に接触させて、前記複数個の端子のうち電気的に接続する端子の前記導電板を該共通板と電気的に接続することを特徴とする。
ここで、前記前面プレート（２１’，２１”）の前記電気的に接続する端子を示す箇所に、前記接続ネジを貫通させるための貫通孔が形成されており、前記接続ネジを前記前面プレートの前記貫通孔および前記導電板の前記ネジ孔に貫通させたのちに該接続ネジの先端部を前記共通板に接触させて、前記複数個の端子のうち電気的に接続する端子の前記導電板を該共通板と電気的に接続してもよい。
前記共通板（２０）に、前記接続ネジが螺合するネジ孔が形成されていてもよい。
前記共通板（２０）の端部が、前記レールの端部が固定されたかつアースされた端子台固定金具（１７０）に固定されていてもよい。
【発明の効果】
【００１１】
本発明の端子台は、以下に示す効果を奏する。
（１）レール係合部の底面に形成された共通板貫通孔に共通板をレールに沿って貫通させ、複数個の端子のうち電気的に接続する端子の導電板を共通板とネジを用いて電気的に接続することにより、複数個の端子のうち電気的に接続する端子の内側端子間でわたりを接続する作業や、ＩＶ線の長さを決めたりＩＶ線の両側端末処理を行ったりする作業を不要とすることができるので、保安用のアースをとったり複数の表示用プラス端子を接続したりする作業の効率向上を図ることができる
（２）アースされた端子台固定金具に共通板を固定することにより、共通板をアース板として使用することができるので、端子台とは別の箇所にアース板を用意する必要がない。
【発明を実施するための最良の形態】
【００１２】
上記の目的を、レール係合部の底面の中央部に形成された共通板貫通孔に共通板をレールに沿って貫通させ、接続ネジを前面プレートおよび導電板に形成したネジ孔に貫通させたのちに接続ネジの先端部を共通板に接触させて、複数個の端子のうち電気的に接続する端子の導電板を共通板と電気的に接続することにより実現した。
【実施例１】
【００１３】
以下、本発明の端子台の実施例について図面を参照して説明する。
まず、本発明の第１の実施例による端子台３０について、図１乃至図４を参照して説明する。
本実施例による端子台３０（図３および図４参照）において使用される端子１０は、以下に示す点で、図６（ａ）〜（ｃ）に示した従来の端子１１０と異なる。
（１）端子１０では、図１（ａ），（ｃ）に示すように、第１および第２の前面プレート支持部１１21，１１22が板部１１1の表面の前面プレート貫通孔１１1aの下方両側部にそれぞれ垂設されている。
（２）端子１０では、図２（ａ）に示すように、接続ネジ２３を導電板１３の上面から下面に螺合させて貫通させるためのネジ孔が導電板１３の中央部に形成されている。
（３）端子１０では、図１（ａ）〜（ｃ）に示すように、共通板２０（図２（ｂ）参照）をレール１６０（図３および図４参照）に沿って（すなわち、レール係合部１１3の表面から裏面に）貫通させるための共通板貫通孔１４がレール係合部１１3の底面の中央部に形成されている。また、図２（ａ）に示すように、接続ネジ２３の先端部を共通板２０に接触させるために接続ネジ２３が螺合するネジ孔がレール係合部１１3の底面に形成されている。
【００１４】
これにより、端子１０では、図２（ａ）に示すように接続ネジ２３を回しながら前面プレート２１の上面から下面に貫通させたのち導電板１３のネジ孔およびレール係合部１１3の底面のネジ孔に貫通させて接続ネジ２３を共通板２０のネジ孔に螺合させれば、内側ネジ１２Iおよび外側ネジ１２Oと共通板２０とを接続ネジ２３および導電板１３を介して電気的に接続することができる。
その結果、図２（ｂ）に示すように接続ネジ２３を取り付けた端子１０（同図左から２番目の端子１０および５番目の端子１０）については共通板２０を介して電気的に接続することができるので、たとえば共通板２０をアースすることにより内側ネジ１２Iおよび外側ネジ１２Oをアースすることができる。
【００１５】
次に、複数個の端子１０を具備した端子台３０をＢＰ盤に用いた場合の一例について、図３を参照して説明する。
端子台３０では、複数個の端子１０はレール１６０に沿って並べて取り付けられたのちに上部止め金具１６１および下部止め金具（不図示）で固定されている。また、端子台３０はレール１６０の上端部および下端部を端子台固定金具１７０に固定することによりＢＰ盤に取り付けられている。
【００１６】
変流器２次回路（ＣＴ２次回路）からのＲ相電流線ＬR、Ｓ相電流線ＬS、Ｔ相電流線ＬTおよびＮ相電流線ＬNは端子台３０の第１乃至第４の外側端子３１O1〜３１O4（図１（ａ）に示した外側ネジ１２O）に圧着端子を用いてそれぞれ接続されており、変流器３次回路（ＣＴ３次回路）からのｈ相電流線Ｌhおよびｇ相電流線Ｌgは端子台３０の第５および第６の外側端子３１O5，３１O6にそれぞれ圧着端子を用いて接続されているとともに、ＢＰ盤内部の配線は第１乃至第６の内側端子３１I1〜３１I6（図１（ａ）に示した内側ネジ１２I）に圧着端子を用いて接続されている。
【００１７】
作業員は、前面プレート２１’を各端子１０の前面プレート貫通孔１１1a（図１（ａ）参照）に貫通させることにより、端子台３０の内側端子（第１乃至第８の内側端子３１I1〜３１I8）と外側端子（第１乃至第８の外側端子３１O1〜３１O8）との間に前面プレート２１’を取り付ける。
【００１８】
作業員は、共通板２０を各端子１０の共通板貫通孔１４に貫通させたのち（図２（ｂ）参照）、共通板２０を端子台固定金具１７０（アースされている。）に固定することにより共通板２０をアースする。
【００１９】
保安用のアースをとるために、作業員は、第４の内側端子３１I4と第４の外側端子３１O4との間の前面プレート２１’に接続ネジ２３を差し込んだのち、接続ネジ２３が共通板２０のネジ穴に螺合するまで接続ネジ２３を回して、接続ネジ２３を端子１０に取り付ける。同様に、保安用のアースをとるために、作業員は、第６の内側端子３１I6と第６の外側端子３１O6との間の前面プレート２１’に接続ネジ２３を差し込んだのち、接続ネジ２３が共通板２０のネジ穴に螺合するまで接続ネジ２３を回して、接続ネジ２３を端子１０に取り付ける。
【００２０】
このとき、共通板２０に接続ネジ２３が螺合するネジ孔を形成しておくことにより、接続ネジ２３の先端部を共通板２０に完全に接触させることができるとともに、作業員が接続ネジ２３の先端部が共通板２０に接触しないうちに接続ネジ２３の取付け作業を止めてしまうことを防止することができる。
【００２１】
また、前面プレート２１’には各端子１０の端子番号を示す数字“１”から“６”を表示しておくが、保安用のアースをとる第４の内側端子３１I4および第４の外側端子３１O4と第６の内側端子３１I6および第６の外側端子３１O6とについては端子番号を示す数字“４”および“６”の代わりに接続ネジ２３を貫通させるための貫通孔を形成しておくことにより、作業員は前面プレート２１’の貫通孔が形成された端子１０について接続ネジ２３を取り付けることにより保安用のアースをとることができるので、誤って別の端子１０に接続ネジ２３を取り付けることを防止することができるとともに、一般に端子台３０には４回線分の数の端子１０が取り付けられために保安用のアースをとる端子１０の数は８個（＝２端子×４回線）となるので、接続ネジ２３を取り付ける作業性を向上させることができる。
【００２２】
さらに、保安用のアースをとる端子１０は端子台３０によって異なる場合があるため、保安用のアースをとる端子１０に対応させて貫通孔の形成位置を異ならせた（すなわち、電気的に接続する端子を示す箇所に貫通孔が形成された）前面プレート２１’を端子台３０ごとに用意しておくことにより、作業員が誤って別の端子１０に接続ネジ２３を取り付けることを防止することができる。
【００２３】
次に、複数個の端子１０を具備した端子台３０を受電盤に用いた場合の一例について、図４を参照して説明する。
端子台３０では、複数個の端子１０はレール１６０に沿って並べて取り付けられたのちに上部止め金具１６１および下部止め金具（不図示）で固定されている。また、端子台３０はレール１６０の上端部および下端部を端子台固定金具１７０に固定することにより受電盤に取り付けられている。
【００２４】
各保護継電器（リレー）からの信号線は端子台３０の第１乃至第８の外側端子３１O1〜３１O8（図１（ａ）に示した外側ネジ１２O）に圧着端子を用いてそれぞれ接続されている。
【００２５】
作業員は、前面プレート２１”を各端子１０の前面プレート貫通孔１１1a（図１（ａ）参照）に貫通させることにより、端子台３０の内側端子（第１乃至第８の内側端子３１I1〜３１I8）と外側端子（第１乃至第８の外側端子３１O1〜３１O8）との間に前面プレート２１”を取り付ける。
【００２６】
作業員は、共通板２０を各端子１０の共通板貫通孔１４に貫通させる（図２（ｂ）参照）。なお、共通板２０は電気的に絶縁された状態とする。
【００２７】
作業員は、表示用プラス端子となる第４の内側端子３１I4と第４の外側端子３１O4との間の前面プレート２１”に接続ネジ２３を差し込んだのち、接続ネジ２３が共通板２０のネジ穴に螺合するまで接続ネジ２３を回して、接続ネジ２３を端子１０に取り付ける。同様に、作業員は、表示用プラス端子となる第７の内側端子３１I7と第７の外側端子３１O7との間の前面プレート２１”に接続ネジ２３を差し込んだのち、接続ネジ２３が共通板２０のネジ穴に螺合するまで接続ネジ２３を回して、接続ネジ２３を端子１０に取り付ける。
【００２８】
このとき、共通板２０に接続ネジ２３が螺合するネジ孔を形成しておくことにより、接続ネジ２３の先端部を共通板２０に完全に接触させることができるとともに、作業員が接続ネジ２３の先端部が共通板２０に接触しないうちに接続ネジ２３の取付け作業を止めてしまうことを防止することができる。
【００２９】
また、前面プレート２１”には各端子１０の端子番号を示す数字“１”および“２”と表示用プラス端子を示す記号“Ｐ”とを表示しておくが、表示用プラス端子となる第４の内側端子３１I4および第４の外側端子３１O4と第７の内側端子３１I7および第７の外側端子３１O7とについては表示用プラス端子を示す記号“Ｐ”の代わりに接続ネジ２３を貫通させるための貫通孔を形成しておくことにより、作業員は前面プレート２１”の貫通孔が形成された端子１０について接続ネジ２３を取り付ければよいので、誤って別の端子１０に接続ネジ２３を取り付けることを防止することができるとともに、一般に端子台３０には多数個の端子１０が装着されるために表示用プラス端子となる端子１０の数も多数となるので、接続ネジ２３を取り付ける作業性を向上させることができる。
【００３０】
次に、本発明の第２の実施例による端子台について、図５を参照して説明する。
本実施例による端子台において使用される端子５０は、図５（ａ）に示すように共通板６０（図５（ｂ）参照）をレール係合部５１3の表面から裏面に貫通させるための共通板貫通孔５４がレール係合部５１3の底面の外側ネジ５２Oの下方に形成されている点と、図５（ｂ）に示すように長ネジ６３の先端部を共通板６０に接触させるために長ネジ６３が螺合するネジ孔がレール係合部５１3の底面に形成されている点とで、図６（ａ）〜（ｃ）に示した従来の端子１１０と異なる。
【００３１】
これにより、端子５０では、図５（ｂ）に示すように、外側ネジ５２Oの代わりに長ネジ６３を使用し、長ネジ６３を回しながらレール係合部５１3の底面のネジ孔に貫通させたのち共通板６０のネジ孔に螺合させれば、内側ネジ５２Iと共通板６０とを長ネジ６３および導電板５３を介して電気的に接続することができる。
その結果、長ネジ６３を取り付けた端子５０については共通板６０を介して電気的に接続することができるので、たとえば共通板６０をアースすることによりこの端子５０をアースしたり、共通板６０を電気的に絶縁させることにより表示用プラス端子となる端子５０を電気的に接続したりすることができる。
【図面の簡単な説明】
【００３２】
【図１】本発明の第１の実施例による端子台３０に使用される端子１０の構成を示す図であり、（ａ）は正面図、（ｂ）は背面図、（ｃ）は右側面図である。
【図２】端子１０に共通板２０、前面プレート２１および接続ネジ２３を取り付けた状態を示す図である。
【図３】複数個の端子１０を具備した端子台３０をＢＰ盤に用いた場合の一例について説明するための図である。
【図４】複数個の端子１０を具備した端子台３０を受電盤に用いた場合の一例について説明するための図である。
【図５】本発明の第２の実施例による端子台に使用される端子５０の構成を示す図であり、（ａ）は端子５０の正面図、（ｂ）は共通板６０、前面プレート２１および長ネジ６３を取り付けた状態を示す図である。
【図６】従来の端子１１０の構造を示す図であり、（ａ）は正面図、（ｂ）は背面図、（ｃ）は右側面図である。
【図７】従来のＢＰ盤における端子台構成について説明するための図である。
【図８】従来の受電盤における端子台構成について説明するための図である。
【符号の説明】
【００３３】
１０，５０，１１０  端子
１１，５１，１１１  本体
１１1，５１1，１１１1  板部
１１1a，５１1a，１１１1a  前面プレート貫通孔
１１1b1，１１1b2，５１1b1，５１1b2，１１１1b1，１１１1b2  第１および第２のカバー係止穴
１１21，１１22  第１および第２の前面プレート支持部
１１3，５１3，１１１3  レール係合部
１１3a1，１１3a2，５１3a1，５１3a2，１１１3a1，１１１3a2  第１および第２のレール係止穴
１１3b1，１１3b2，５１3b1，５１3b2，１１１3b1，１１１3b2  第１および第２の凹部
１１41，１１42，５１41，５１42，１１１41，１１１42  第１および第２の導電板支持部
１１51，１１52，５１51，５１52，１１１51，１１１52  第１および第２の突起
１１6，１１１6  凸部
１１71，１１72，１１１71，１１１72  第１および第２の穴
１２I，１１２I  内側ネジ
１２O，１１２O  外側ネジ
１３，５３，１１３  導電板
１４，５４  共通板貫通孔
２０，６０  共通板
２１，２１’，２１”，１２１，１２１’，１２１”  前面プレート
３０，１３０  端子台
３１I 1〜３１I 8，１３１I 1〜１３１I 8  第１乃至第８の内側端子
３１O 1〜３１O 8，１３１O 1〜１３１O 8  第１乃至第８の外側端子
５１2，１１１2  前面プレート支持部
６３  長ネジ
１４０  アース板
１４１1，１４１2  第１および第２のアース端子
１６０  レール
１６１  上部止め金具
１７０  端子台固定金具
ＬR，ＬS，ＬT，ＬN，Ｌh，Ｌg  Ｒ相、Ｓ相、Ｔ相、Ｎ相、ｈ相およびｇ相電流線
ＬIV1，ＬIV2  第１および第２のＩＶ線
【図１】
0005094545.tif 000002
【図２】
0005094545.tif 000003
【図３】
0005094545.tif 000004
【図４】
0005094545.tif 000005
【図５】
0005094545.tif 000006
【図６】
0005094545.tif 000007
【図７】
0005094545.tif 000008
【図８】
0005094545.tif 000009